(57)【要約】【課題】シャッター動作の影響を受ける事無く、効率よく光源を冷却することができる照射装置を提供する。【解決手段】筐体５内に、出射開口１５を有するランプハウス１３、及び当該ランプハウス１３内に収容されたランプ１１を有する照射ユニット１０と、ランプハウス１３の外に配置され、開閉動作によってランプ１１からの光の被照射面への照射を遮断可能なシャッターユニット３０とを収めた照射装置１であって、ランプハウス１３内に冷却風Ｆ１を流してランプ１１を冷却する第１冷却機構２０と、ランプハウス１３の出射開口１５を塞ぐ前面ガラス１６と、を備えた。【選択図】図１
2017168250.tif 000002
【特許請求の範囲】
【請求項１】
出射開口を有するランプハウス内に収容された光源と、前記ランプハウスの外に配置され、前記光源からの光の被照射面への照射を遮断するシャッターユニットと、を備えた照射装置であって、
前記ランプハウス内に冷却風を流して前記光源を冷却する第１冷却機構と、
前記ランプハウスの出射開口を塞ぐ光透過性部材と、を備えた
ことを特徴とする照射装置。
【請求項２】
前記ランプハウスと、前記シャッターユニットとを収容する筐体を備え、前記筐体内に冷却風を流して前記シャッターユニットを冷却する第２冷却機構を備えたことを特徴とする請求項１に記載の照射装置。
【発明の詳細な説明】
【技術分野】
【０００１】
本発明は、被照射面への光照射を遮断するシャッターを備えた照射装置に関する。
【背景技術】
【０００２】
従来、開閉自在なシャッターを有し、当該シャッターを閉じることで、光源を消灯することなく、光源からの光が被照射面に照射されるのを遮断する照射装置が知られている。このような照射装置では、光源が常時点灯されているため、光源が収容されたランプハウス内に冷却風を引き込んで、光源を冷却している（例えば、特許文献１参照）。
【先行技術文献】
【特許文献】
【０００３】
【特許文献１】特開２００６−４３６４１号公報
【発明の概要】
【発明が解決しようとする課題】
【０００４】
しかしながら、シャッターの開時と、閉時とで、ランプハウス内に引き込んだ冷却風の流れる向きが変わり、冷却風による光源の冷却能力のバランスが変わるため、光源の照度低下や短寿命化の問題が発生する場合があった。
本発明は、上述した事情に鑑みてなされたものであり、シャッター動作の影響を受ける事無く、効率よく光源を冷却することができる照射装置を提供することを目的とする。
【課題を解決するための手段】
【０００５】
上述した目的を達成するために、本発明は、筐体内に、出射開口を有するランプハウス、及び当該ランプハウス内に収容された光源を有する照射ユニットと、前記ランプハウスの外に配置され、開閉動作によって前記光源からの光の被照射面への照射を遮断可能なシャッターユニットとを収めた照射装置であって、前記ランプハウス内に冷却風を流して前記光源を冷却する第１冷却機構と、前記ランプハウスの出射開口を塞ぐ光透過性部材と、を備えたことを特徴とする。
【０００６】
上述の構成において、前記筐体内に冷却風を流して前記シャッターユニットを冷却する第２冷却機構を備えた構成であってもよい。
【発明の効果】
【０００７】
本発明によれば、ランプハウス内に冷却風を流して光源を冷却すると共に、ランプハウスの出射開口を光透過性部材で塞いだため、ランプハウス内を流れる冷却風がシャッターユニットの開閉動作の影響を受ける事が無く、効率よく光源を冷却することができる。
【図面の簡単な説明】
【０００８】
【図１】本発明の実施形態に係る照射装置の構成を示す断面図である。
【図２】光源ユニットの構成を示す底面図である。
【図３】照射装置内の風の流れを示す断面図である。
【発明を実施するための形態】
【０００９】
以下、図面を参照して本発明の実施形態について説明する。
図１は本実施形態に係る照射装置１の構成を示す断面図である。図１に示すように、照射装置１は、ランプ１１（光源）を有する照射ユニット１０と、開閉する一対のシャッター３１Ａ，３１Ｂを有するシャッターユニット３０と、を備える。
【００１０】
照射ユニット１０と、シャッターユニット３０とは、箱型の筐体５に収められている。ランプ１１は、筐体５内に長く延在する直管形のランプであり、例えば紫外線ランプや、可視光照射ランプ、赤外線照射ランプをランプ１１として用いることができる。照射装置１は、例えば紫外線ランプをランプ１１として用いた場合には、被照射面内に配置された照射対象物に被着した紫外線硬化剤や紫外線硬化塗料に紫外線を照射して硬化する紫外線硬化装置として用いることができる照射装置である。
なお、本実施形態では、筐体５内に収容されたランプ１１の長手方向に直行する方向を照射装置１の左右方向、又は短手方向と定義して以下に説明する。また、本実施形態の照射装置１は、例えば、長手方向が２１５０ｍｍ、短手方向が３７０ｍｍ、高さが４６４ｍｍの筐体５内に、照射ユニット１０と、シャッターユニット３０と、を収容した構成である。
【００１１】
筐体５の下面６には、ランプ１１の長手方向に亘って照射開口７が設けられている。照射装置１は、この照射開口７から、筐体５の下方に配置された照射対象物に向けてランプ１１からの光を照射する装置である。照射開口７は、略矩形形状に形成され、筐体５の下面６には、この照射開口７を覆う光透過性のカバー８が取り付けられている。
【００１２】
照射ユニット１０は、ランプ１１と、このランプ１１の周囲を囲う反射体１２と、を備え、ランプ１１及び反射体１２を箱型のランプハウス１３内に収容して構成されている。ランプハウス１３は、下面１４に出射開口１５を有している。出射開口１５は、ランプ１１の長手方向に亘って略矩形形状に形成されている。出射開口１５は、前面ガラス１６で閉塞されている。前面ガラス１６（光透過性部材）は、光透過性を有する部材から形成されている。なお、前面ガラス１６に替えて、波長選択フィルターで出射開口１５を塞ぐ構成であっても良い。
【００１３】
ランプ１１は、図示は省略するが、長手方向の両端部にそれぞれに電気的に接続される端子を有し、当該端子を介して電源と電気的に接続され、ランプハウス１３に支持部材を介して支持されている。
反射体１２は、例えば反射面の断面が楕円形状であり、第１焦点に配置されたランプ１１の光を第２焦点に位置する被照射面に反射するように構成されている。反射体１２は、ランプ１１の長手方向に亘って延びる。反射体１２は、左右に２つに分割され、ランプ１１の上方に設けられた固定具１７と、ランプハウス１３の天面１９から延びる押さえ具１８とによって保持されている。
【００１４】
ランプハウス１３の天面１９には、ランプハウス１３内に空気を吸気する吸気口２１と、ランプハウス１３内の空気を排気する排気口２２と、が設けられている。吸気口２１には、筐体５を貫通して照射装置１の外部に延びる送風筒２３が接続されている。また、排気口２２には、筐体５を貫通して照射装置１の外部に延びる排風筒２４が接続されている。排気口２２は、ランプ１１の上方に設けられている。排気口２２は、図示は省略するが、ランプ１１の延在方向に沿って複数設けられている構成であっても良い。吸気口２１は、ランプ１１の延在方向において、排気口２２が設けられた位置に対応する位置に設けられると共に、照射装置１の短手方向において、排気口２２を挟んで、排気口２２の左右に設けられている。
【００１５】
照射装置１には、送風筒２３から吸気口２１を介してランプハウス１３内に冷却風を吸い込んで、冷却風によりランプ１１と反射体１２とを冷却し、排気口２２を介して排風筒２４から排気する第１冷却機構２０が設けられている。第１冷却機構２０は、送風筒２３に空気を押し込む、又は、排風筒２４から空気を吸引する送風機５０を備え、ランプハウス１３内に空気の流れを形成している。なお、図１では、送風筒２３に空気を押し込む送風機５０と、排風筒２４から空気を吸引する送風機５０とを、備えている構成とした。しかし、これに限らず、送風筒２３に空気を押し込む、又は、排風筒２４から空気を吸引する何れか一方の送風機５０を用いて、ランプハウス１３内に空気の流れを形成する構成であっても良い。
【００１６】
図２は、ランプ１１、反射体１２、及び押さえ具１８を底面側から示す図である。図２に示すように、反射体１２を保持する押さえ具１８には、底面２５に複数の通風孔２６が、ランプ１１の延在方向に沿って設けられている。なお、反射体１２は、左右に２つに分割されると共に、ランプ１１の延在方向に沿って複数に分割され、連結具２７で連結されて構成されていても良い。
【００１７】
図１に示すように、ランプ１１の左右の吸気口２１から吸い込んだ冷却風Ｆ１は、反射体１２と前面ガラス１６との間の隙間を通って、ランプ１１の周囲に流れ、ランプ１１及び反射体１２を冷却して、排気口２２から排気される。また、吸気口２１から吸い込んだ冷却風Ｆ１は、押さえ具１８の底面２５に設けられた通風孔２６から、押さえ具１８と、反射体１２との間の空間に吸い込まれて、反射体１２を冷却し、排気口２２から排気される。
【００１８】
上述したように、ランプハウス１３の出射開口１５は、前面ガラス１６で閉塞されているため、吸気口２１から吸い込んだ冷却風Ｆ１の風向きを安定させることができる。このように、ランプハウス１３内には、第１冷却機構２０によって、安定した冷却風Ｆ１の流れを形成することができ、ランプ１１及び反射体１２の冷却能力を安定させることができる。
【００１９】
シャッターユニット３０は、ランプ１１を消灯することなく、ランプ１１の被照射面への光の照射を遮断することができるように構成された一対のシャッター３１Ａ，３１Ｂを備え、ランプハウス１３の外に設けられている。シャッター３１Ａ，３１Ｂは、ランプ１１の長手方向に亘って設けられ、不図示の可動機構により、ランプ１１の周りを回動可能に構成されている。シャッターユニット３０の開時には、シャッター３１Ａ，３１Ｂの各々が、照射ユニット１０の左右の側方に退避して、ランプ１１からの光が被照射面へ照射される。また、シャッターユニット３０の閉時には、図１に示すように、シャッター３１Ａ，３１Ｂが、ランプ１１と、照射開口７との間に配置されて、ランプ１１からの光が被照射面に照射されるのを遮断する。なお、図示は省略するが、シャッターユニット３０は、照射装置１の左右方向に互いに相対する方向に平行移動する一対のシャッターを備えている構成であっても良い。
【００２０】
図３は、筐体５にシャッター３１Ａ，３１Ｂを冷却する冷却風Ｆ２を流す第２冷却機構４０を備えた照射装置１の構成を示す図であり、照射装置１内の冷却風Ｆ１，Ｆ２を流れを示す図である。
照射装置１のシャッターユニット３０は、閉時にシャッター３１Ａ，３１Ｂにランプ１１の光が照射されるため、シャッター３１Ａ，３１Ｂに熱影響が生じる場合がある。本実施形態の照射装置１は、図３に示すように、筐体５内に冷却風Ｆ２の流れを形成する第２冷却機構４０が設けられている。第２冷却機構４０は、筐体５の天面６に設けられた吸入口４１と、排出口４２と、送風機５０とから構成され、吸入口４１から吸い込んだ冷却風Ｆ２を筐体５内に流してシャッターユニット３０を冷却し、排出口４２から排出する。なお、上述した第１冷却機構２０と、第２冷却機構４０とは、共通の送風機を用いる構成であっても良いし、それぞれが別個の送風機を有している構成であっても良い。
【００２１】
図３に示すように、第１冷却機構２０によってランプハウス１３内に形成される冷却風Ｆ１の流れと、第２冷却機構４０によって筐体５内に形成される冷却風Ｆ２の流れとは、互いに干渉し合うことがない。これにより、シャッターユニット３０の開閉に因ることなく、ランプ１１、反射体１２、及び、シャッター３１Ａ，３１Ｂを安定して冷却することができる。
【００２２】
なお、本実施形態の照射装置１では、図３に示すように、筐体５の照射開口７を光透過性のカバー８で覆った構成としたが、カバー８を外した構成とし、筐体５内に流す冷却風Ｆ２を、照射開口７から被照射面に向けて流す構成であってもよい。筐体５内に流す冷却風Ｆ２を、照射開口７から被照射面に向けて流す場合には、図３に示した排出口４２は閉じられて、吸入口４１から筐体５内に導入した冷却風Ｆ２により、筐体５内が陽圧に保たれる。このように、筐体５内を陽圧に保ち、照射開口７から被照射面に向けて冷却風Ｆ２を流すことで、照射開口７から被照射面周囲の空気が筐体５内に吸い込まれるのを防ぐとともに、被照射面を冷却風Ｆ２により冷却する構成とすることができる。
【００２３】
以上説明したように、本実施形態によれば、筐体５内に、出射開口１５を有するランプハウス１３、及び当該ランプハウス１３内に収容されたランプ１１を有する照射ユニット１０と、ランプハウス１３の外に配置され、開閉動作によってランプ１１からの光の被照射面への照射を遮断可能なシャッターユニット３０とを収めた照射装置１であって、ランプハウス１３内に冷却風Ｆ１を流してランプ１１を冷却する第１冷却機構２０と、ランプハウス１３の出射開口１５を塞ぐ前面ガラス１６と、を備えている。
この構成によれば、シャッターユニット３０の開時と、閉時とで、ランプハウス１３内の冷却風Ｆ１の流れの向きが変わることがないため、シャッターユニット３０の開閉に因ることなく、ランプ１１の冷却能力を安定することができ、効率よくランプ１１を冷却することができる。
【００２４】
また、本実施形態によれば、筐体５内に冷却風Ｆ２を流してシャッターユニット３０を冷却する第２冷却機構４０を備えている。この構成によれば、ランプハウス１３内を流れる冷却風とは独立して、筐体５内に冷却風を流してシャッターユニット３０を冷却することができる。これにより、シャッターユニット３０の開閉に因ることなく、ランプ１１の冷却能力を安定することができるとともに、シャッター３１Ａ，３１Ｂが熱影響を受けるのを防ぐことができる。
【００２５】
なお、上述した実施形態は本発明の一態様であり、本発明の趣旨を逸脱しない範囲において適宜変更可能であるのは勿論である。
【符号の説明】
【００２６】
１  照射装置
５  筐体
７  照射開口
８  カバー
１０  照射ユニット
１１  ランプ（光源）
１３  ランプハウス
１５  出射開口
１６  前面ガラス（透過性部材）
２０  第１冷却機構
３０  シャッターユニット
３１Ａ、３１Ｂ  シャッター
４０  第２冷却機構
Ｆ１  冷却風
Ｆ２  冷却風
【図１】
2017168250.tif 000003
【図２】
2017168250.tif 000004
【図３】
2017168250.tif 000005